(57)【要約】【課題】全方向性のダイポールアンテナにコーナリフレクタを組み合わせて使用することで、受信の信頼性の向上を図り、かつ指向性を持った高利得のアンテナとして使用できるコーナリフレクタ付アンテナを提供を提供すること。【解決手段】アンテナの放射素子にて電波を受ける１面のみを開口するようトラス形としたコーナリフレクタ１と、このコーナリフレクタ１内で放射素子が指向性を持つように垂設固定したアンテナ２とにより構成する。【選択図】図１
2006121431.tif 000002
【特許請求の範囲】
【請求項１】
少なくともアンテナの放射素子にて電波を受ける１面のみを開口するようトラス形としたコーナリフレクタと、このコーナリフレクタ内で放射素子が指向性を持つように垂設固定したアンテナとにより構成したことを特徴とするコーナリフレクタ付アンテナ。
【請求項２】
コーナリフレクタ内に取り付けるステーを介してアンテナを垂設したことを特徴とする請求項１記載のコーナリフレクタ付アンテナ。
【請求項３】
コーナリフレクタの両端部に、取付用フランジを形成したことを特徴とする請求項１又は２記載のコーナリフレクタ付アンテナ。
【請求項４】
トラス形コーナリフレクタの互いに対向する側板を、その取付角を調整可能としたことを特徴とする請求項１、２又は３記載のコーナリフレクタ付アンテナ。
【請求項５】
コーナリフレクタの開口面に、電波透射性のカバーを取り付けたことを特徴とする請求項１、２、３又は４記載のコーナリフレクタ付アンテナ。
【発明の詳細な説明】
【技術分野】
【０００１】
本発明は、コーナリフレクタ付アンテナに関し、特に、小型で、指向性を持った高利得なアンテナとし、かつ、動態管理と受信の信頼性の向上を図ることができるようにしたコーナリフレクタ付アンテナに関するものである。
【背景技術】
【０００２】
従来、建物などの固定側にアンテナを配設し、また人や車両等移動する移動体側に個別情報を予め入力し、かつ携行可能としたタグ（バッチ）との間を、無線信号の送受信により情報を交換するようにした動態管理システムが提案されている。この動態管理システムにおいて、無線信号の送受信は、特に限定されるものではないが、例えば、ＲＦＩＤ（Radio Frequency Identification（電波方式認識）。本明細書において、「ＲＦＩＤ」という。）が採用されている。
【０００３】
ところで、このＲＦＩＤに用いるアンテナとしては、ダイポールアンテナ（全方向性）が汎用されている。このダイポールアンテナは量産され、安価に提供されているとともに、比較的小型で簡単な構成のため、安易に使用できる利点がある。
【０００４】
しかしながら、ダイポールアンテナは全方向性であるため、またこれをＲＦＩＤにおいて基地側アンテナとして用いると、人が携行、或いは車両に配置するタグが、人や車両に追従して常に移動しているため、アンテナによるタグからの受信性能が劣り、誤作動することがしばしばあるという問題があった。
【発明の開示】
【発明が解決しようとする課題】
【０００５】
本発明は、上記従来のダイポールアンテナの有する問題点に鑑み、全方向性のダイポールアンテナにコーナリフレクタを組み合わせて使用することで、受信の信頼性の向上を図り、かつ指向性を持った高利得のアンテナとして使用できるコーナリフレクタ付アンテナを提供することを目的とする。
【課題を解決するための手段】
【０００６】
上記目的を達成するため、本発明のコーナリフレクタ付アンテナは、少なくともアンテナの放射素子にて電波を受ける１面のみを開口するようトラス形としたコーナリフレクタと、このコーナリフレクタ内で放射素子が指向性を持つように垂設固定したアンテナとにより構成したことを特徴とする。
【０００７】
この場合において、コーナリフレクタ内に取り付けるステーを介してアンテナを垂設することができる。
【０００８】
また、コーナリフレクタの両端部に、取付用フランジを形成することができる。
【０００９】
また、トラス形コーナリフレクタの互いに対向する側板を、その取付角を調整可能とすることができる。
【００１０】
また、コーナリフレクタの開口面に、電波透射性のカバーを取り付けることができる。
【発明の効果】
【００１１】
本発明のコーナリフレクタ付アンテナによれば、少なくともアンテナの放射素子にて電波を受ける１面のみを開口するようトラス形としたコーナリフレクタと、このコーナリフレクタ内で放射素子が指向性を持つように垂設固定したアンテナとにより構成することにより、小型で、指向性を持ち、高利得なアンテナとすることができるので、受信の信頼性を向上させることができる。
【００１２】
また、コーナリフレクタ内に取り付けたステーを介してアンテナを垂設することにより、ステーの長さを変えることで、コーナリフレクタ内でのアンテナ取付位置を簡単に調整し、使用目的にあった最適な指向性を得ることができる。
【００１３】
また、コーナリフレクタの両端部に、取付用フランジを形成することにより、天井面などにビス止めで簡易に取り付けることができる。
【００１４】
また、トラス形コーナリフレクタの互いに対向する側板を、その取付角を調整可能とすることにより、指向性を使用目的に応じて簡易に調整することができる。
【００１５】
また、コーナリフレクタの開口面に、電波透射性のカバーを取り付けるようにすることにより、天井面、壁面などコーナリフレクタ付アンテナが完全に露出する場所においても体裁良く取り付けることができる。
【発明を実施するための最良の形態】
【００１６】
以下、本発明のコーナリフレクタ付アンテナの実施の形態を、図面に基づいて説明する。
【実施例１】
【００１７】
図１〜図５に、本発明のコーナリフレクタ付アンテナの一実施例を示す。
このコーナリフレクタ付アンテナＡは、少なくともアンテナの放射素子にて電波を受ける１面のみを開口するようトラス形としたコーナリフレクタ１と、このトラス形コーナリフレクタ１内でアンテナ２の固定放射素子が指向性を持つようにステー３を介して垂設したアンテナ２とにより構成している。
【００１８】
トラス形のコーナリフレクタ１は、アンテナ２の放射素子に対して反射板としての作用をするように、通常アルミ板などの金属板を用い、アンテナ２を直接或いはステー３を介してビス止めなどにて取り付けるようにした天板１１の両端に対向するようにして側板１２、１３を、天板１１の端縁をトラス形に折り曲げて一体に形成する。
この場合、図１に示すように、この天板１１、側板１２、１３の長手方向の長さは等しくするが、その長さをアンテナの放射素子を内部に納められるようにして、特に限定されるものではないが、例えば、放射素子長よりも長くなるようにして定めるとともに、その両端側面部は開口させ、必要に応じてこの両端側開口部面にカバー取付用のフランジ１４、１５を一体に形成する。
なお、天板１１には、アンテナ２に配線する同軸ケーブルＫを挿通するためのケーブル挿通孔１６を穿設する。
【００１９】
また、トラス形のコーナリフレクタ１においては、その側板１２、１３の端部に、特に限定されるものではないが、望ましくは天板１１と平行する方向に取付用フランジ１７、１８を一体に形成する。この取付用フランジ１７、１８は側板１２、１３の端部を外側に向かって折り曲げて形成することができる。
これにより、図５に示すように、取付用フランジ１７、１８を、天井板Ｃの裏面側に直接添わせ、これを天井板Ｃとビス止めして簡易に、かつ確固に固定することができる。また、アンテナの放射素子と天井板Ｃとの間に所定の空間を要する場合には、図５（Ｂ）に示すように、この天井板Ｃと取付用フランジ１７、１８との間にスペーサ５を挟むようにして取り付けることができる。
【００２０】
トラス形コーナリフレクタ１は、上記の実施例において対向する側板１２、１３を、天板１１の両縁を折り曲げるようにして一体に形成して側板１２、１３の角度は固定されているが、天板１１の部分にヒンジ（図示省略）を取り付けることで、側板１２、１３の取付角度が調整可能となり、これによりさらに指向性を向上させることができる。
【００２１】
また、トラス形コーナリフレクタ１の両端側開口部面に、カバー取付用のフランジ１４、１５を一体に形成することにより、このフランジ１４、１５を利用して、図１に示すように、コーナリフレクタ１の開口面を覆うようにして、両端部を折り曲げて一体に形成した電波透射性のカバー４を取り付けることができる。
また、このカバー４は、図４に示すように、トラス形コーナリフレクタ１の両端側開口部面を覆う大きさの箱形として、或いは半円形として取付用フランジ１７、１８にビス止めして直接取り付けることもできる。
なお、このカバー４の材質としては、電波透射性を有するアクリルを用いることができる。
これにより、コーナリフレクタ付アンテナＡを天井裏以外に取り付ける場合、特に限定されるものではないが、例えば、天井下面、壁面に取り付ける場合、アンテナの放射素子が露出することなく、体裁の良いものとすることができる。
【００２２】
この電波透射性のカバー４は、図１に示すように、トラス形コーナリフレクタ１の下面と両端側開口部面を完全に覆うような形状とし、これをカバー取付用のフランジ１４、１５にビス止めして取り付けることができる。
【００２３】
アンテナ２は、取付台２１の両端に対向するようにして放射素子２２、２２を突設した従来のダイポールアンテナを採用することができる。そして、このアンテナ２をステー３を介してコーナリフレクタ１の天板１１に垂設するように取り付ける。
【００２４】
このステー３は、特に限定されるものではないが、例えば、図３に示すように、Ｌ字形をしており、その上端を天板１１の下面に添わせビス止めするようにし、また下端にアンテナ２の取付台２１を取り付け、これによりアンテナ２の放射素子２２、２２をステー３の両側に突出するようにする。
【００２５】
以上、本発明のコーナリフレクタ付アンテナについて、実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明のコーナリフレクタ付アンテナは、小型、高利得で指向性を持たせることで、受信の信頼性の向上を図れるという特性を有していることから、動態管理システムのＲＦＩＤの用途に好適に用いることができるほか、例えば、電波を利用して通信する通信設備の指向性アンテナの用途にも用いることができる。
【図面の簡単な説明】
【００２７】
【図１】本発明のコーナリフレクタ付アンテナの一実施例を示す分解斜視図である。
【図２】本発明のコーナリフレクタ付アンテナを示し、（Ａ）は縦断側面図、（Ｂ）は縦断正面図である。
【図３】ステーにアンテナを取り付けた説明図で、（Ａ）は正面図、（Ｂ）は側面図である。
【図４】カバーを示し、（Ａ）は箱形カバーの断面図、（Ｂ）は半円形カバーの断面図である。
【図５】本発明のコーナリフレクタを天井板の裏面側に取り付けた状態を示す説明図のである。
【符号の説明】
【００２８】
Ａ    コーナリフレクタ付アンテナ
Ｃ    天井板
Ｋ    同軸ケーブル
１    コーナリフレクタ
１１  天板
１２  側板
１３  側板
１４  カバー取付用のフランジ
１５  カバー取付用のフランジ
１６  ケーブル挿通孔
１７  取付用フランジ
１８  取付用フランジ
２    アンテナ
２１  取付台
３    ステー
４    電波透射性のカバー
５    スペーサ
【図１】
2006121431.tif 000003
【図２】
2006121431.tif 000004
【図３】
2006121431.tif 000005
【図４】
2006121431.tif 000006
【図５】
2006121431.tif 000007